(57)【要約】【課題】顧客誘引性の高いディスペンサーを提供する。【解決手段】本発明は、ロール製品Ｌを保持するディスペンサー１０であって、ベース部１１と、ベース部１１より立設し、ロール製品Ｌの巻芯部Ｌ１に挿入され、ロール製品Ｌの巻芯部Ｌ１よりも長い形状を持つロール製品保持部１２と、を備え、ロール製品保持部１２は、ベース部１１に対して所定角度傾斜して設けられている。また、ロール製品保持部１２に設けられ、ロール製品保持部１２に巻芯部Ｌ１が挿入されたロール製品Ｌがロール製品保持部１２から脱落するのを防止する凸部１４ａ、１４ｂを有する脱落防止機構１３を備える。【選択図】図１
2020179901.tif 000002
【特許請求の範囲】
【請求項１】
ロール製品を保持するディスペンサーであって、
ベース部と、
前記ベース部より立設し、前記ロール製品の巻芯部に挿入され、前記ロール製品の巻芯部よりも長い形状を持つロール製品保持部と、を備え、
前記ロール製品保持部は、前記ベース部に対して所定角度傾斜して設けられている、ことを特徴とするディスペンサー。
【請求項２】
前記ロール製品保持部に設けられ、前記ロール製品の巻芯部に前記ロール製品保持部が挿入された状態で前記ロール製品の下端部を支えるストッパーを備えることを特徴とする請求項１に記載のディスペンサー。
【請求項３】
前記ロール製品保持部に設けられ、前記ロール製品保持部に巻芯部が挿入された前記ロール製品が前記ロール製品保持部から脱落するのを防止する凸部を有する脱落防止機構を備えることを特徴とする請求項１又は請求項２に記載のディスペンサー。
【請求項４】
前記ロール製品保持部は、前記ベース部に対して４０°以上７０°以下のなす角度で傾斜して設けられていることを特徴とする請求項１から請求項３のいずれか１項に記載のディスペンサー。
【請求項５】
前記ストッパーは、前記ロール製品保持部に対して略直角に設けられていることを特徴とする請求項２から請求項４のいずれか１項に記載のディスペンサー。
【請求項６】
前記ベース部に設けられ、前記ベース部を所定の取付面に対して固着するためのマグネットを備えることを特徴とする請求項１から請求項５のいずれか一項に記載のディスペンサー。
【発明の詳細な説明】
【技術分野】
【０００１】
本発明は、ディスペンサーに関する。
【背景技術】
【０００２】
従来より、キッチンタオル等のロール製品を保持するものが提案されている。
特許文献１のロール状物展示用紙製箱は、正面板と、この正面板の上縁に連設される天板と、この正面板の両側縁に連設される一対の側板と、一方の側板の正面板と反対側の側縁に連設される背面板と、この背面板の側縁と他方の側板の側縁とを接着により連結する側方連結用フラップと、正面板、背面板及び一対の側面板のそれぞれの下縁に連設される底部構成板より成る折畳み自在の底部とを１枚の板紙で折畳み自在に形成すると共に、正面板には収容されるロール状物を巻き出すための取出部を、正面板の取出部の上方から天板に亘っては開口された窓部に貼着された透明な合成樹脂製板状体を、一対の側板にはそれぞれ収容されるロール状物の中芯を保持するための芯保持部を設けることによって、ロール状物をその中空部で保持して、店頭において宣伝販売用の見本として展示するためのものである。
【先行技術文献】
【特許文献】
【０００３】
【特許文献１】特開２００５−  ２９６０３１号公報
【発明の概要】
【発明が解決しようとする課題】
【０００４】
ところで、ホームセンターや展示場などでは、キッチンタオルやワイパーウエス等のロール状製品が試用品として展示される。これらのロール製品の展示では市販のディスペンサーが用いられており、製品は水平又は垂直に静置された状態となっている。
しかしながら、従来の展示形式では、顧客が展示エリア周辺の通路から見た場合、単に展示された状態であり、より視覚的に顧客の使用を誘引することはできていなかった。
【０００５】
そこで、本発明は、上記事情に鑑みてなされたものであり、顧客誘引性の高いディスペンサーを提供することを目的とする。
【課題を解決するための手段】
【０００６】
上記課題を解決するために、（１）本発明は、ロール製品を保持するディスペンサーであって、ベース部と、前記ベース部より立設し、前記ロール製品の巻芯部に挿入され、前記ロール製品の巻芯部よりも長い形状を持つロール製品保持部と、を備え、前記ロール製品保持部は、前記ベース部に対して所定角度傾斜して設けられている、ことを特徴とする。
【０００７】
（２）上記（１）の構成において、前記ロール製品保持部に設けられ、前記ロール製品の巻芯部に前記ロール製品保持部が挿入された状態で前記ロール製品の下端部を支えるストッパーを備える。
【０００８】
（３）上記（１）又は（２）の構成において、前記ロール製品保持部に設けられ、前記ロール製品保持部に巻芯部が挿入された前記ロール製品が前記ロール製品保持部から脱落するのを防止する凸部を有する脱落防止機構を備える。
【０００９】
（４）上記（１）から（３）のいずれかの構成において、  前記ロール製品保持部は、前記ベース部に対して４０°以上７０°以下のなす角度で傾斜して設けられている。
【００１０】
（５）上記（１）から（４）のいずれかの構成において、前記ストッパーは、前記ロール製品保持部に対して略直角に設けられている。
【００１１】
（６）上記（１）から（５）のいずれかの構成において、前記ベース部に設けられ、前記ベース部を所定の取付面に対して固着するためのマグネットを備える。
【発明の効果】
【００１２】
本発明によれば、顧客誘引性の高いディスペンサーを提供することができる。
【図面の簡単な説明】
【００１３】
【図１】本発明の実施形態に係るディスペンサーの台上での使用状態を示す図である。
【図２】本発明の実施形態に係るディスペンサーの壁面上での使用状態を示す図である。
【図３】本発明の実施形態に係るディスペンサーの斜視図である。
【図４】本発明の実施形態に係るディスペンサーの正面図である。
【図５】本発明の実施形態に係るディスペンサーの底面図である。
【図６】本発明の実施形態に係るディスペンサーの背面図である。
【図７】本発明の実施形態に係るディスペンサーの平面図である。
【図８】本発明の実施形態に係るディスペンサーの右側面図である。
【図９】本発明の実施形態に係るディスペンサーの左側面図である。
【発明を実施するための形態】
【００１４】
以下、添付図面を参照して、本発明の実施形態について詳細に説明するが、これらは例示の目的で掲げたものであり、これらにより本発明を限定するものではない。なお、実施形態の説明の全体を通して同じ要素には同じ符号を付する。
【００１５】
図１は、本発明の実施形態に係るディスペンサーの台２０での使用状態を示す図である。
図１に示すように、台上２０に載置されたディスペンサー１０を用い、ロール製品Ｌを顧客に対して視覚的に目立たせることができる。
ここで、ロール製品Ｌには、キッチンペーパー、ペーパータオル、クッキングシートなどのロール状衛生用紙類、ロール状ワイパー類、ロール状フィルム及びロール状アルミシートなどのロール状シート類が含まれる。
【００１６】
ディスペンサー１０は、接地面となるベース部１１と、ロール製品保持部１２と、ストッパー１５と、脱落防止機構１３、１４と、を備えている。
ベース部１１の裏側には、後述するマグネットが設けられており、マグネットによりベース部１１を台２０に固着することができる。
【００１７】
ロール製品保持部１２は、ベース部１１より立設し、ロール製品Ｌの巻芯部Ｌ１に挿入され、ロール製品Ｌの巻芯部Ｌ１よりも長い形状を持つ。ロール製品保持部１２は、ベース部１１に対して所定角度傾斜して設けられている。
【００１８】
ロール製品保持部１２には、脱落防止機構１３が設けられている。脱落防止機構１３には、ロール製品保持部１２に巻芯部Ｌ１が挿入されたロール製品Ｌがロール製品保持部１２から脱落するのを防止するための凸部１４ａ、１４ｂが形成されている。Ｕ字棒の閉鎖先端付近に脱落防止機構１３を設けることで、使用時、展示時の顧客試用中の不意のロール製品Ｌの脱落を防止することができる。
【００１９】
図２は、本発明の実施形態に係るディスペンサーの壁面２１上での使用状態を示す図である。
図２に示すように、ベース部１１の裏面に設けられたマグネットにより、壁面２１上の所定の取付面に対して固着することができる。これにより、ディスペンサー１０を壁面２１で使用可能とすることができる。
ロール製品保持部１２には、脱落防止機構１３が設けられており、脱落防止機構１３の凸部１４ａ、１４ｂにより、ロール製品Ｌがロール製品保持部１２から脱落することを防止することができる。
【００２０】
図３は、本発明の実施形態に係るディスペンサーの斜視図である。図４は、本発明の実施形態に係るディスペンサーの正面図である。図５は、本発明の実施形態に係るディスペンサーの底面図である。図６は、本発明の実施形態に係るディスペンサーの背面図である。
図７は、本発明の実施形態に係るディスペンサーの平面図である。図８は、本発明の実施形態に係るディスペンサーの右側面図である。図９は、本発明の実施形態に係るディスペンサーの左側面図である。
【００２１】
図３〜図９に示すように、ディスペンサー１０は、ロール製品Ｌを保持するものであって、接地面となるベース部１１と、ロール製品保持部１２と、ストッパー１５と、脱落防止機構１３、１４と、マグネット１８ａ〜１８ｄと、固定部１６、１７と、を備える。
【００２２】
ロール製品保持部１２は、ベース部１１より立設し、ロール製品Ｌの巻芯部Ｌ１に挿入され、ロール製品Ｌの巻芯部Ｌ１よりも長い形状を持つ。
ロール製品保持部１２は、Ｕ字状の開放先端を逆方向に折り曲げることで固定部１６、１７とし、固定部１６、１７をベース部１１に固定することにより、ロール製品保持部１２はベース部１１に固定される。固定部１６、１７はベース部１１に対して接着固定してもよいし、一体成形することもできる。
ロール製品保持部１２自体の形状及び構成は、上記に限らず、ロール製品Ｌの巻芯部Ｌ１に挿入されて、ホール製品Ｌを保持することができるものであれば、どのようなものであってもよい。ロール製品保持部１２の材料は、金属製のもの、樹脂製のものであってもよい。
【００２３】
ロール製品保持部１２は、ベース部１１に対して所定角度傾斜して設けられている。
ロール製品保持部１２は、ベース部１１に対して４０°以上７０°以下のなす角度で傾斜して設けられているのが好ましく、特に６０°程度に傾斜していることが好ましい。
【００２４】
ストッパー１５は、ロール製品保持部１２に設けられ、ロール製品Ｌの巻芯部Ｌ１にロール製品保持部１２が挿入された状態でロール製品Ｌの下端部を支えるものである。ストッパー１５は、ロール製品保持部１２に対して略９０°の略直角に設けられていることが好ましい。図に示す例では、ロール製品保持部１２に直交するようにストッパー１５が設けられているが、ストッパー１５の形状は図に示すものに限定されない。
【００２５】
脱落防止機構１３は、ロール製品保持部１２に設けられ、ロール製品保持部１２に巻芯部Ｌ１が挿入されたロール製品Ｌがロール製品保持部１２から脱落するのを防止する凸部１４ａ、１４ｂを有する。Ｕ字棒の閉鎖先端付近に脱落防止機構１３を設けることで、使用時、展示時の顧客試用中の不意のロール製品Ｌの脱落を防止することができる。
凸部１３、１４の形状は、θ２をθ１よりも大きくすること（θ１＜θ２）で脱落を防ぐことができる。
【００２６】
本実施形態では、脱落防止機構１３は、二つの凸部１４ａ、１４ｂを持つように構成したが、凸部は片側に一つであってもよい。また凸部１４ａ、１４ｂの大きさや形状を変えるようにしてもよい。
【００２７】
図５に示すように、ベース部１１の裏面には、ベース部１１を所定の取付面に対して固着するためのマグネット１８ａ〜１８ｄが設けられている。
本実施形態では、ベース部１１の四隅にそれぞれマグネット１８ａ〜１８ｄを設けるように構成したが、マグネットの個数や大きさは変更することができる。
【００２８】
また、図５に示す例では、ロール製品保持部１２がベース部１１に対して向かって右側に傾くように設けられている。このため、ロール製品Ｌをロール保持部１２に保持させると、ディスペンサー１０の重心はベース部１１の中央より右側にシフトする。このため、マグネットをベース部１１の中心より左側の磁石の力が大きくすることが好ましい。例えば、ベース部１１の左半分の方がマグネットが大きくすることや、左半分に位置するマグネットの数を多くすることで、ベース部１１の中心より左側の磁石の力を大きくすることができる。
【００２９】
本実施形態によれば、図２で示したように、ディスペンサー１０を壁面２１で使用可能とすると共に、図１で示したように、台２０上でもロール製品からシート引出し時にディスペンサー１０自体の移動を防止することができる。
【００３０】
以上、実施形態を用いて本発明を説明したが、本発明の技術的範囲は上記実施形態や実施例に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３１】
１０  ディスペンサー
１１  ベース部
１２  ロール製品保持部
１３  脱落防止機構
１４ａ、１４ｂ  凸部
１５  ストッパー
１６、１７  固定部
１８ａ〜１８ｄ  マグネット
Ｌ  ロール製品
Ｌ１  巻芯部
【図１】
2020179901.tif 000003
【図２】
2020179901.tif 000004
【図３】
2020179901.tif 000005
【図４】
2020179901.tif 000006
【図５】
2020179901.tif 000007
【図６】
2020179901.tif 000008
【図７】
2020179901.tif 000009
【図８】
2020179901.tif 000010
【図９】
2020179901.tif 000011